(57)【要約】【課題】複数の帳票を高速に読み取ることが出来る帳票読取装置と方法の提供。【解決手段】帳票のイメージデータを読み取り、該イメージデータを２値化した２値化データを格納するＯＣＲ用メモリ２１ａ及び２１ｃと、前記読み取ったイメージデータ全体を格納する全体用画像メモリ２１ｂ及び２１ｄとを備え、ＯＣＲ用メモリに格納した２値化データから文字認識を行って出力すると共に、前記全体用画像メモリに格納したイメージデータを出力する帳票読取装置において、全体用画像メモリ２１ｂからイメージデータを出力する出力工程と、ＯＣＲ用メモリ２１ｃの次イメージデータの認識工程とを時間的に平行に行う制御部とを備えたもの。【選択図】  図１
2004287927.tif 000002
【特許請求の範囲】
【請求項１】
帳票のイメージデータを読み取り、該イメージデータを２値化した２値化データを格納するＯＣＲ用メモリと、前記読み取ったイメージデータ全体を格納する全体用画像メモリとを備え、前記ＯＣＲ用メモリに格納した２値化データから文字認識を行って出力すると共に、前記全体用画像メモリに格納したイメージデータを出力する帳票読取装置の帳票読み取り方法であって、前記ＯＣＲ用メモリ及び全体用画像メモリとを複数対設け、一方の全体用画像メモリからイメージデータを出力する出力工程と、他方の全体用画像メモリ又はＯＣＲ用メモリに対する次イメージデータの格納又は認識工程とを時間的に平行に行うことを特徴とする帳票読み取り方法。
【請求項２】
前記一方のＯＣＲ用メモリ及び全体用画像メモリに格納したイメージデータの画像方向が予め定められた方向と異なるとき、前記他方のＯＣＲ用メモリ及び全体用画像メモリに次イメージデータを格納することなく、前記一方のＯＣＲ用メモリ及び全体用画像メモリに格納したイメージデータを、他方のＯＣＲ用メモリ及び全体用画像メモリに回転して格納することを特徴とする請求項１記載の帳票読み取り方法。
【請求項３】
帳票のイメージデータを読み取り、該イメージデータを２値化した２値化データを格納するＯＣＲ用メモリと、前記読み取ったイメージデータ全体を格納する全体用画像メモリとを備え、前記ＯＣＲ用メモリに格納した２値化データから文字認識を行って出力すると共に、前記全体用画像メモリに格納したイメージデータを出力する帳票読取装置において、２値化データを格納する少なくとも一対のＯＣＲ用メモリと、イメージデータを格納する少なくとも一対の画像メモリと、一方の全体用画像メモリからイメージデータを出力する出力工程と、他方の全体用画像メモリ又はＯＣＲ用メモリに対する次イメージデータの格納又は認識工程とを時間的に平行に行う制御部とを備えることを特徴とする帳票読取装置。
【請求項４】
前記制御部が、前記一方のＯＣＲ用メモリ及び全体用画像メモリに格納したイメージデータの画像方向が予め定められた方向と異なるとき、前記他方のＯＣＲ用メモリ及び全体用画像メモリに次イメージデータを格納することなく、前記一方のＯＣＲ用メモリ及び全体用画像メモリに格納したイメージデータを、他方のＯＣＲ用メモリ及び全体用画像メモリに回転して格納することを特徴とする請求項３記載の帳票読取装置。
【発明の詳細な説明】
【０００１】
【産業上の利用分野】
本発明は、伝票等の帳票に記載された文字を光学的に認識すると共に、前記帳票の全体のイメージデータを出力する帳票読取装置に好適な帳票読み取り方法及び該読み取り方法に好適な帳票読取装置に関する。
【０００２】
【従来の技術】
近年の銀行等の伝票の文字を光学的に読み取って認識する帳票読取装置は、前記認識した文字と共に、帳票の全体イメージデータやＯＣＲ用に切り出したイメージデータも後日の目視確認等に使用するために出力して保管することが望まれている。このため従来技術による帳票読取装置は、ドロップアウトカラーで印刷された書式を含む帳票全体をイメージスキャナで読み取った全体イメージデータと、前記ドロップアウトカラーや指定外の範囲を除く読み取り領域のイメージデータを２値化して読み取った２値化イメージデータとを全体画像メモリとＯＣＲ用メモリに個別に格納し、前記ＯＣＲ用メモリに格納した２値化データを基に文字認識を行った元のＯＣＲ用イメージデータと、前記全体画像メモリに格納した帳票の全体イメージデータとを出力する様に構成されている。
【０００３】
また従来技術による帳票読取装置は、ホッパに所定方向に積層した複数枚の帳票を連続的に読み込むものであるが、前記ホッパに積層した帳票の一部の向きが異なることがあり、この逆向きの帳票も連続的に読み込むため、逆向きに読み込んだイメージデータを回転させるための回転メモリを備えている。
【０００４】
このため従来技術による帳票読取装置は、前述の文字認識用のＯＣＲ用メモリと、このＯＣＲ用メモリに格納した２値化データを回転させるための回転メモリと、前記帳票の全体イメージデータを格納するための画像メモリと、この画像データに格納した２値化データを回転させるための回転メモリとの計４つのメモリを備えている。
【０００５】
尚、前述の帳票の画像を回転させるメモリを有する光学文字読取装置が記載された文献としては、例えば特開２０００−１８２７３５号公報が挙げられる。
【０００６】
【発明が解決しようとする課題】
前述の従来技術による帳票読取装置は、カラー印刷された伝票のイメージデータを読み込んでＯＣＲ用メモリ及び全体用画像メモリに各々格納する読取（取込）工程と、ＯＣＲ用メモリに格納した２値化データから文字認識を行う文字認識工程と、前記画像メモリ及びＯＣＲ用メモリに格納した各々のイメージデータを外部に出力して保管する出力工程とを実行するものであるが、特にカラー印刷された伝票を取り扱うために前述のデータ取り込みや出力時間が長いものであった。このため従来技術による帳票読取装置は、カラーイメージデータが２値化データに比べて２４倍のデータ量があるためにメモリへの書き込みや出力時間が長く、伝票の読み取り時間が冗長になると言う不具合があった。
【０００７】
本発明の目的は、前述の従来技術による不具合を除去することであり、カラー印刷された複数の伝票を高速に読み込むことができる帳票読取装置を提供することである。
【０００８】
【課題を解決するための手段】
前記目的を達成するために本発明は、帳票のイメージデータを読み取り、該イメージデータを２値化した２値化データを格納するＯＣＲ用メモリと、前記読み取ったイメージデータ全体を格納する全体用画像メモリとを備え、前記ＯＣＲ用メモリに格納した２値化データから文字認識を行って出力すると共に、前記全体用画像メモリに格納したイメージデータを出力する帳票読取装置の帳票読み取り方法であって、前記ＯＣＲ用メモリ及び全体用画像メモリとを複数対設け、一方の全体用画像メモリからイメージデータを出力する出力工程と、他方の全体用画像メモリ又はＯＣＲ用メモリに対する次イメージデータの格納又は認識工程とを時間的に平行に行うことを第１特徴とし、該帳票読み取り方法において、前記一方のＯＣＲ用メモリ及び全体用画像メモリに格納したイメージデータの画像方向が予め定められた方向と異なるとき、前記他方のＯＣＲ用メモリ及び全体用画像メモリに次イメージデータを格納することなく、前記一方のＯＣＲ用メモリ及び全体用画像メモリに格納したイメージデータを、他方のＯＣＲ用メモリ及び全体用画像メモリに回転して格納することを第２の特徴とする。
【０００９】
更に本発明は、帳票のイメージデータを読み取り、該イメージデータを２値化した２値化データを格納するＯＣＲ用メモリと、前記読み取ったイメージデータ全体を格納する全体用画像メモリとを備え、前記ＯＣＲ用メモリに格納した２値化データから文字認識を行って出力すると共に、前記全体用画像メモリに格納したイメージデータを出力する帳票読取装置において、２値化データを格納する少なくとも一対のＯＣＲ用メモリと、イメージデータを格納する少なくとも一対の画像メモリと、一方の全体用画像メモリからイメージデータを出力する出力工程と、他方の全体用画像メモリ又はＯＣＲ用メモリに対する次イメージデータの格納又は認識工程とを時間的に平行に行う制御部とを備えることを第３の特徴とし、該帳票読取装置において、前記制御部が、前記一方のＯＣＲ用メモリ及び全体用画像メモリに格納したイメージデータの画像方向が予め定められた方向と異なるとき、前記他方のＯＣＲ用メモリ及び全体用画像メモリに次イメージデータを格納することなく、前記一方のＯＣＲ用メモリ及び全体用画像メモリに格納したイメージデータを、他方のＯＣＲ用メモリ及び全体用画像メモリに回転して格納することを第４の特徴とする。
【００１０】
【発明実施の形態】
以下、本発明の一実施形態による帳票読み取り方法を適用した帳票読取装置を図面を参照して詳細に説明する。図１は本実施形態による帳票読取装置の全体構成を説明するための図、図２は本実施形態による帳票読取手順を説明するための図である。
【００１１】
本実施形態による帳票読取装置は、図１に示す如く、本装置の全体を制御する制御部１と、該制御部１に接続され操作者の指示を入力するためのキーボード１４と、読み取った各種データを保存するためのハードディスク１２と、読み取った文字の修正候補等を表示する表示部１３と、帳票から文字データ／全体イメージデータ／ＯＣＲ用データを読み取るための帳票読取部２とから構成され、該帳票読取部２は、読み取り対象となる多数の帳票２３を積層して貯めるためのホッパ２７と、該ホッパ２７から帳票を一枚づつ分離して搬送する搬送路２２と、該搬送路２２を搬送される帳票からイメージデータを読み取るための読取処理部２１と、搬送路２２を搬送する帳票に所定の文字等を印字する印字部２５と、前記読取及び印字がなされた帳票を貯めるための排出スタッカ２６と、読取ができなかった帳票を切替部２４の動作により貯めるためのリジェクトスタッカ２８とを備える。
【００１２】
前記帳票処理部２１は、搬送される帳票からイメージを読み取るためのイメージセンサ２１ｅと、前述した文字認識用の２値化データを格納するためのＯＣＲ用メモリ２１ａ及び２１ｃと、帳票の全体イメージを格納するための全体画像メモリ２１ｂ及び２１ｄとを備える。
【００１３】
前述の様に構成された帳票読取装置は、制御部１の指示によってホッパ２７に積層した帳票２３を搬送路２２によって順次搬送しながら読取処理部２１が当該帳票のＯＣＲ用イメージデータ及び全体画像用イメージデータとをＯＣＲ用メモリ２１ａ及び２１ｃと全体画像メモリ２１ｂ及び２１ｄに各々格納し、文字認識を行った後のＯＣＲ用イメージデータ及び全体画像用イメージデータとをハードディスク１２又は光ディスク１１１に格納する様に動作するものである。
【００１４】
次に本実施形態による帳票読み取り方法に基づく帳票読み取り動作を図２を参照して説明する。図２は、ＯＣＲ用メモリ２１ａ、全体画像用メモリ２１ｂ、ＯＣＲ用メモリ２１ｃ、全体画像用メモリ２１ｄの動作手順を時系列的に説明するための図である。尚、図２に示す「取込」とはイメージデータの「読込」と同意である。また各メモリ２１ａ〜ｄ内の「１１１」〜「６６６」で示す数字は文字認識対象となる２値化データの例、「ＡＢＣ」はドロップアウトカラーで印刷された項目例等の例を示したものである。
【００１５】
まず、本実施形態による帳票読取装置は、１枚目の帳票読み取りにおいて、その読み取ったＯＣＲ用の２値化データをＯＣＲ用メモリ２１ａに格納する（取込ａ１）と共に帳票の全体イメージデータを全体画像メモリ２１ｂに格納する（取込ｂ１）。この１枚目の読み取りデータは、ＯＣＲ用画像メモリ２１ａにおいて文字の認識（認識ａ１）が行われた後、各メモリ２１ａ及び２１ｂから各々データを（出力ａ１及びｂ１）する。
【００１６】
本実施形態による帳票読取装置は、前記１枚目の文字認識を行っている認識ａ１と時間的に同期して２枚目の帳票を読み取り、読み取ったＯＣＲ用の２値化データをＯＣＲ用メモリ２１ｃに格納する（取込ｃ２）と共に帳票の全体イメージデータを全体画像メモリ２１ｄ格納する（取込ｄ２）。即ち本実施形態による帳票読取装置は、１枚目のＯＣＲ用メモリ２１ａに格納した２値化データを用いた文字認識工程と、ＯＣＲ用メモリ２１ｃ及び全体画像メモリ２１ｄに２枚目の帳票のイメージデータ格納工程とを時間的に平行して行う
本実施形態による帳票読取装置は、以降の帳票読み取り動作において、メモリ２１ａ／２１ｂからの２枚目帳票の出力ｃ２／ｄ２と同期して３枚目帳票のメモリ２１ａ／２１ｂを使用した取込ｅ３／ｆ３を行い、同様に３枚目帳票の認識ｅ３と４枚目帳票の取込ｇ４／ｈ４とを同期して行い、更に３枚目帳票の出力ｅ３／ｆ３と４枚目帳票の認識ｇ４とを同期して行う様に動作し、連続する帳票の認識と取込動作／出力と取込動作とを、ＯＣＲ用メモリ２１ａ／全体画像用メモリ２１ｂと、ＯＣＲ用メモリ２１ｃ／全体画像用メモリ２１ｄとを平行に使用して実行する。
【００１７】
従って本実施形態による帳票読取装置は、２枚の帳票に対する処理（読込−認識−出力工程）を時間的に平行に行うために、帳票読み取り時間を全体として短縮することができる。特にデータ量が多いカラーの帳票全体イメージデータの読込及び出力を行う帳票読取装置においては、データの読み取り時及び出力時に他の処理を平行して行うため、処理時間を短縮することができる。
【００１８】
また本実施形態による帳票読取装置は、図２に示す如く、例えば５枚目の帳票が所定方向と逆の場合、取込ｉ５／ｊ５でメモリ２１ａ及び２１ｂに格納したＯＣＲ用データ及び全体画像データを、回転してメモリ２１ｃ２及び２１ｄに転送し、このメモリ２１ｃ２及び２１ｄを用いて認識ｉ５−出力ｉ５／ｊ５を行うと共に、前記メモリ２１ａ及び２１ｂを用いて次の６枚目の帳票の処理を続行することもできる。
【００１９】
この様に本実施形態による帳票読み取り方法を適用した帳票読取装置は、イメージデータの読込工程と認識工程と出力工程とを実行する際に、認識工程と出力工程及び読込工程と出力工程とを時間的に平行して行うことによって、多数の帳票の読み取り時間を短縮することができ、更に帳票を逆方向に読み取った際にも帳票を連続的に処理することができる。
【００２０】
尚、前記実施形態においては、１枚目のＯＣＲ用メモリ２１ａに格納した２値化データを用いた文字認識の実行と、ＯＣＲ用メモリ２１ｃに２枚目の２値化データの格納とを時間的に平行して行うことや、２枚目の帳票の出力ｃ２／ｄ２と同期して３枚目の帳票の取込ｅ３／ｆ３を行うことや、３枚目の認識ｅ３と４枚目の取込ｇ４／ｈ４とを同期して行い、更に３枚目帳票の出力ｅ３／ｆ３と４枚目帳票の認識ｇ４とを同期して行う様に動作する例を説明したが本発明はこれらに限られることなく、一対のＯＣＲ用及び全体画像用メモリを用い、両メモリが読込／認識／出力する何れかの工程を時間的に平行して実行するものも含むものである。
【００２１】
【発明の効果】
この様に本発明による帳票読み取り方法及び帳票読取装置は、２値化データを格納するＯＣＲ用メモリとイメージデータを格納する画像メモリとを少なくとも一対設け、一方の全体用画像メモリからイメージデータを出力する出力工程と、他方の全体用画像メモリ又はＯＣＲ用メモリに対する次イメージデータの格納又は認識工程とを時間的に平行に行うことにより、多数の帳票の読取時間を短縮することができ、特にカラー印刷された複数の伝票を高速に読み込むことができる。
【図面の簡単な説明】
【図１】本発明の一実施形態による帳票読取装置の全体構成を説明するための図。
【図２】本実施形態による帳票読取手順を説明するための図。
【符号の説明】
１：制御部、２：帳票読取部、２３：帳票、２１：帳票読取処理部、２１ａ〜２１ｄ：メモリ、２１ｅ：イメージセンサ、２７：ホツパ、２２：搬送路、２２：帳票印字部、２６：排出スタッカ、２８：リジェクトスタッカ、２４：切替部、１１：光デイスク部、１２：ハードディスク、１３：表示部、１４：キーボード。
【図１】
2004287927.tif 000003
【図２】
2004287927.tif 000004
【手続補正書】
【提出日】平成15年3月26日(2003.3.26)
【手続補正１】
【補正対象書類名】明細書
【補正対象項目名】０００５
【補正方法】変更
【補正の内容】
【０００５】
尚、前述の帳票の画像を回転させるメモリを有する光学文字読取装置が記載された文献としては、例えば特開２００２−７９６０号公報が挙げられる。